(57)【要約】【課題】作業台を両端が同調して上下移動することができる作業台付きツール収納装置を提供する。【解決手段】ツール収納本体１０と、前記ツール収納本体１０の上方に設置されている作業台３０と、作業台３０を上下移動することができる２つの昇降装置４０と、を有する作業台付きツール収納装置であって、ツール収納本体１０は、一対のレール１２と、を有し、作業台３０は、一対のレール１２の上開口から挿入する上、一対のレール１２に沿って上下移動できる一対の中空の支持柱３２と、を有し、２つの昇降装置４０それぞれは、上下方向に沿って延伸する上、支持柱３２内に回転することにより支持柱３２と作業台３０とを共に上下移動することができるように設置されているねじ棒４３と、ねじ棒４３を回転駆動する駆動手段５０と、２つの駆動手段５０を同調して回転させるように制御する制御手段６０と、を有する。【選択図】図３
2018034295.tif 000002
【特許請求の範囲】
【請求項１】
複数の引出しが設置されているツール収納本体と、前記ツール収納本体の上方に設置されている作業台と、前記作業台を上下移動することができるように設置されている２つの昇降装置と、前記２つの昇降装置の作動を制御する制御手段と、を有する作業台付きツール収納装置であって、
前記ツール収納本体は、水平方向において相対する両側に、上下方向に沿って延伸して上へ開口するように構成されている一対のレールと、を有し、
前記作業台は、前記ツール収納本体の上方に配置されている作業板と、前記作業板より下方へ突出して前記一対のレールの上開口から挿入する上、前記作業板を下から支持しながら前記一対のレールに沿って上下移動できるように前記一対のレールと嵌め合っている一対の中空の支持柱と、を有し、
前記２つの昇降装置のそれぞれは、上下方向に沿って延伸して、上端が前記レールの上開口あたりに位置するように設置されているガイド管と、前記ガイド管の上端開口内に固定されているナットと、上下方向に沿って延伸する上、前記支持柱内に回転可能に前記ナットを螺穿して、回転することにより前記支持柱と前記作業台とを共に上下移動することができるように設置されているねじ棒と、前記ねじ棒を回転駆動する駆動手段と、を有し、
前記駆動手段は、モーターと、前記モーターの回転を前記ねじ棒に伝動して、前記ねじ棒を回転させるように設置されている減速機と、を有し、
前記制御手段は、２つの前記駆動手段の前記モーターの回転を同調して動作させることができるように構成されていることを特徴とする作業台付きツール収納装置。
【請求項２】
前記作業板は、前記ツール収納本体に面する底面があり、
前記作業台は、両端のそれぞれが前記一対の中空の支持柱と前記作業板の間に配置するように、水平方向に延伸して形成され、前記一対の中空の支持柱と前記底面とに固定されている中空の収容手段を更に有し、
前記収容手段の水平方向における長手方向の両端のそれぞれには、前記駆動手段をそれぞれ収容できる駆動手段収容部が構成されており、
前記減速機は、前記駆動手段収容部における前記支持柱に当て嵌まる処に設置され、
前記モーターは、前記駆動手段収容部において前記減速機の隣に前記減速機に直結するように設置され、
前記ねじ棒は、前記駆動手段収容部内に延伸して、前記減速機に直結するように設置されていることを特徴とする請求項１に記載の作業台付きツール収納装置。
【請求項３】
前記収容手段は、前記ツール収納本体に面し、２つの前記駆動手段収容部の間にある底板と、前記底板から前記作業板の前記底面まで延伸して、前記底板と共に収容空間を形成する側壁と、を備え、
前記駆動手段収容部は、前記底板から前記作業板の水平方向における長手方向の端部に対応する位置に延伸する収容部底板と、前記収容部底板から前記作業板の前記底面まで延伸して、前記収容部底板と共に駆動手段を収容する空間を形成する収容部側壁と、により構成されていることを特徴とする請求項２に記載の作業台付きツール収納装置。
【請求項４】
前記昇降装置は、前記ねじ棒に嵌設しながら前記駆動手段収容部における前記底板の前記作業板に面する上面に設置されているスラスト軸受と、前記ねじ棒に嵌設しながら前記駆動手段収容部における前記底板の前記上面の反対面である下面に設置されている玉軸受と、を更に有することを特徴とする請求項３に記載の作業台付きツール収納装置。
【請求項５】
前記作業台は、前記収容手段内に設置されている照明装置を更に有し、
前記収容手段の前記底板には、前記照明装置に当て嵌まる処に放光口が開けられていることを特徴とする請求項４に記載の作業台付きツール収納装置。
【請求項６】
前記ツール収納本体は、前記作業板に面する頂板を更に有し、
前記頂板は、前記作業板に面する頂板上面と、前記頂板上面にツールを収容できるように構成されている複数のツール収容部と、を有することを特徴とする請求項１〜請求項５いずれか一項に記載の作業台付きツール収納装置。
【発明の詳細な説明】
【技術分野】
【０００１】
本発明は作業台付きツール収納装置に関し、具体的には作業台が上下移動できる作業台付きツール収納装置に関する。
【背景技術】
【０００２】
従来の作業台が上下移動できる作業台付きツール収納装置は、図１の部分部品分解図に示されるように、本体１と、本体１に対して上下移動できるように本体１に設置されており、長尺状の作業台２と、作業台２を移動させる２つの昇降手段３と、連動手段４と、作業台２に設置されている駆動手段５と、を備える。
【０００３】
本体１には、水平方向において相対する両側に、上下方向に沿って延伸して上へ開口する一対のレール１０１が構成されている。
【０００４】
作業台２は、作業台２を支持しながらレール１０１に沿って上下移動できる支持柱２０１を有する。
【０００５】
昇降手段３のそれぞれは、上下方向に沿って延伸して、上端がレール１０１の上開口あたりに位置するように設置されているガイド管３０１と、ガイド管３０１の上端開口内に固定されているナット３０２と、上下方向に沿って延伸する上、前記支持柱２０１内に回転可能に前記ナット３０２を螺穿して、回転することにより前記支持柱３２と前記作業台３０とを共に上下移動することができるように設置され、上端に受動かさ歯車３０４を有するねじ棒３０３と、を備える。
【０００６】
連動手段４は、両端のそれぞれに連動かさ歯車４０２が設置されている連動棒４０１を備える。
【０００７】
駆動手段５は、駆動軸を有するモーター５０１であり、該駆動軸の先端に駆動かさ歯車５０２が設置されている。
【０００８】
駆動かさ歯車５０２が一方のねじ棒３０３の受動かさ歯車３０４と一端の連動棒４０１の連動かさ歯車４０２に噛み合って、他端の連動棒４０１の連動かさ歯車４０２が他方のねじ棒３０３の受動かさ歯車３０４の噛み合うことにより、モーター５０１は２つのねじ棒３０３を一斉に回転駆動することができる。
【０００９】
しかし、連動棒４０１自身は回転に対して抵抗があるので、連動棒４０１の前記一端がモーター５０１のかさ歯車４０２に駆動回転される際に、該回転は同調に連動棒４０１の前記他端に伝動できずに、連動棒４０１の両端が同調して回転できない。よって、作業台２のねじ棒３０３を同調して回転駆動できず、作業台２の両端の上下移動の量が不一致となり、作業台２の上下移動にも支障が生じる。また、連動棒４０１の両端が同調に回転できないので、連動棒４０１自身も捩じられて壊れやすくなる。
【先行技術文献】
【特許文献】
【００１０】
【特許文献１】中国実用新案公告第ＣＮ２０４８６８８０３Ｕ号明細書
【発明の概要】
【発明が解決しようとする課題】
【００１１】
上記問題点に鑑みて、本発明は、作業台を両端が同調して上下移動することができる作業台付きツール収納装置を提供することを目的とする。
【課題を解決するための手段】
【００１２】
上記目的を達成すべく、本発明は、複数の引出しが設置されているツール収納本体と、前記ツール収納本体の上方に設置されている作業台と、前記作業台を上下移動することができるように設置されている２つの昇降装置と、前記２つの昇降装置の作動を制御する制御手段と、を有する作業台付きツール収納装置であって、前記ツール収納本体は、水平方向において相対する両側に、上下方向に沿って延伸して上へ開口するように構成されている一対のレールと、を有し、  前記作業台は、前記ツール収納本体の上方に配置されている作業板と、前記作業板より下方へ突出して前記一対のレールの上開口から挿入する上、前記作業板を下から支持しながら前記一対のレールに沿って上下移動できるように前記一対のレールと嵌め合っている一対の中空の支持柱と、を有し、前記２つの昇降装置のそれぞれは、上下方向に沿って延伸して、上端が前記レールの上開口あたりに位置するように設置されているガイド管と、前記ガイド管の上端開口内に固定されているナットと、上下方向に沿って延伸する上、前記支持柱内に回転可能に前記ナットを螺穿して、回転することにより前記支持柱と前記作業台とを共に上下移動することができるように設置されているねじ棒と、前記ねじ棒を回転駆動する駆動手段と、を有し、前記駆動手段は、モーターと、前記モーターの回転を前記ねじ棒に伝動して、前記ねじ棒を回転させるように設置されている減速機と、を有し、前記制御手段は、２つの前記駆動手段の前記モーターの回転を同調して動作させることができるように構成されていることを特徴とする作業台付きツール収納装置を提供する。
【発明の効果】
【００１３】
上記構成により、本発明の作業台付きツール収納装置は、２つのモーターの回転を同調して動作させることができる制御手段を有するので、作業台を両端が同調して上下移動することができ、作業台を円滑に上下移動できる。
【図面の簡単な説明】
【００１４】
【図１】従来の作業台付きツール収納装置を示す部分部品分解図である。
【図２】本発明の作業台付きツール収納装置の好ましい実施形態を示す斜視図である
【図３】上記作業台付きツール収納装置を示す部分部品分解図である。
【図４】上記作業台付きツール収納装置の作業台が展開されていることを示す側面断面図である。
【図５】上記作業台付きツール収納装置を示す部分側面断面図である。
【図６】上記作業台付きツール収納装置の作業台が収納されていることを示す側面断面図である。
【発明を実施するための形態】
【００１５】
以下、図面を参照しながら、本発明の好ましい実施形態について詳しく説明する。
【００１６】
本発明の作業台付きツール収納装置は、図２及び図３に示されるように、複数の引出し２０が設置されているツール収納本体１０と、ツール収納本体１０の上方に設置されている長尺状の作業台３０と、作業台３０を上下移動することができるように設置されている２つの昇降装置４０と、２つの昇降装置４０の作動を制御する制御手段６０と、を有する。
【００１７】
ツール収納本体１０は、図３に示されるように、水平方向のうちの長手方向Ｘにおいて相対する両側に、水平方向と直交する上下方向Ｚに沿って延伸して上へ開口するように構成されている一対のレール１２を有する。
【００１８】
作業台３０は、図３に示されるように、ツール収納本体１０の上方に配置され、ツール収納本体１０に面する底面３１１がある作業板３１と、作業板３１より下方へ突出して一対のレール１２の上開口から挿入する上、作業板３１を下から支持しながら一対のレール１２に沿って上下移動できるように一対のレール１２と嵌め合っている一対の中空の支持柱３２と、両端のそれぞれが一対の中空の支持柱３２と作業板３１の間に配置されるように、長手方向Ｘに延伸して形成され、一対の中空の支持柱３２と底面３１１とに固定されている上方向に開口する凹溝が形成された収容手段３３と、収容手段３３の凹溝の内部に設置されている照明装置３５と、を有し、且つ、図４に示されるように、作業板３１がツール収納本体１０から離れる展開状態と、図６に示されるように、作業板３１がツール収納本体１０に隣接する収納状態との間に切換できるように構成されている。
【００１９】
この実施形態において、ツール収納本体１０は、作業板３１に面する頂板１１を更に有する。頂板１１は、作業板３１と長手方向Ｘ及び長手方向と水平方向において直交する短手方向Ｙにおいて大きさが略一致し、且つ作業台に面する頂板上面１１１と、頂板上面１１１にツールを収容できるように構成されている複数のツール収容部１１２と、を有する。複数の引出し２０は、頂板１１より下方に、短手方向Ｙに沿って引き出すことができるようにツール収納本体１０に設置されている。
【００２０】
２つの昇降装置４０のそれぞれは、後述するガイド管４１と、ナット４２と、ねじ棒４３と、スラスト軸受４４と、玉軸受４５と、駆動手段５０と、制御手段６０と、を有する。
【００２１】
この実施形態において、図３に示されるように、収容手段３３の収容空間３３４内の両端それぞれには、駆動手段５０をそれぞれ収容できる駆動手段収容部３４が形成されている。収容手段３３は、ツール収納本体１０に面し、照明装置３５に当て嵌まる処に、収容空間３３４に連通する放光口３３３（図５を参照）が開けられ、２つの駆動手段収容部３４の間にある底板３３１（図３を参照）と、底板３３１から作業板３１の底面３１１の間には、短手方向Ｙにおける両側面に、長手方向Ｘに沿って延伸して、底板３３１と共に収容空間３３４を形成する側壁３３２と、を有する。
【００２２】
そして、駆動手段収容部３４は、図５に示されるように、底板３３１から作業板３１の長手方向Ｘにおける端部に対応する位置に延伸する収容部底板３４１と、収容部底板３４１から作業板３１の底面３１１まで延伸して、収容部底板３４１と共に駆動手段５０を収容する空間を形成する収容部側壁３４２と、により構成されている。照明装置３５は、照明具（図示せず）を備え、収容空間３３４内に設置されている。
【００２３】
昇降装置４０において、図３及び図４に示されるように、ガイド管４１は、上下方向Ｚに沿って延伸して、上端がレール１２の上開口あたりに位置するように設置されている。
【００２４】
ナット４２は、ガイド管４１の上端開口内に固定されている。
【００２５】
ねじ棒４３は、上下方向に沿って延伸する上、支持柱３２内に回転可能にナット４２を螺穿して、回転することにより支持柱３２と作業台３０とを共に上下移動することができるように設置されている。
【００２６】
スラスト軸受４４は、ねじ棒４３に嵌設しながら駆動手段収容部３４における収容部底板３４１の作業板３１に面する上面に設置されている。
【００２７】
玉軸受４５は、ねじ棒４３に嵌設しながら駆動手段収容部３４における収容部底板３４１の前記上面の反対面である下面に設置されている。
【００２８】
駆動手段５０は、モーター５１と、モーター５１の回転をねじ棒４３に伝動して、ねじ棒４３を回転させるように設置されている減速機５２と、を有するように構成されている。
【００２９】
制御手段６０は、２つの駆動手段５０のモーター５１の回転を同調して動作させることができるように構成されている。
【００３０】
図５に示されるように、減速機５２は、駆動手段収容部３４における支持柱３２に当て嵌まる処に設置されている。モーター５１は、駆動手段収容部３４おいて減速機５２の隣（長手方向Ｘにおける内側）に減速機５２に直結するように設置されている。ねじ棒４３は、駆動手段収容部３４内に延伸して、減速機５２に直結するように設置されている。
【００３１】
この実施形態において、減速機５２は、減速ギアボックスである。制御手段６０は、収容手段３３の収容空間３３４内において２つの駆動手段５０の間に設置され、２つのモーター５１に電気的に連接している。
【００３２】
上記の構成によれば、使用者が制御手段６０を操作することにより、制御手段６０が２つの駆動手段５０のモーター５１を同調して動作させ、モーター５１が減速機５２に直結し且つ減速機５２がねじ棒４３に直結するように設置されているので、２つのねじ棒４３を同調して回転させて、作業板３１を両端が同調して上昇して展開状態になったり、作業板３１を両端が同調して降下して収納状態になったりすることができて、作業台を円滑に上下移動でき、更に、従来の作業台付きツール収納装置の連動手段における連動棒４０１自身が捩じられて壊れやすくなる欠点を解消できる。
【産業上の利用可能性】
【００３３】
本発明の作業台付きツール収納装置は、作業台を、両端が同調して且つ円滑に上下移動させることができるので、耐久性と操作性が向上して、各種の組立作業などに使用することが好適である。
【符号の説明】
【００３４】
１０  ツール収納本体
１１  頂板
１１１  頂板上面
１１２  ツール収容部
１２  レール
２０  引出し
３０  作業台
３１  作業板
３１１  底面
３２  支持柱
３３  収容手段
３３１  底板
３３２  側壁
３３３  放光口
３３４  収容空間
３４  駆動手段収容部
３４１  収容部底板
３４２  収容部側壁
３５  照明装置
４０  昇降装置
４１  ガイド管
４２  ナット
４３  ねじ棒
４４  スラスト軸受
４５  玉軸受
５０  駆動手段
５１  モーター
５２  減速機
６０  制御手段
Ｘ  長手方向
Ｚ  上下方向
【図１】
2018034295.tif 000003
【図２】
2018034295.tif 000004
【図３】
2018034295.tif 000005
【図４】
2018034295.tif 000006
【図５】
2018034295.tif 000007
【図６】
2018034295.tif 000008